(57)【要約】【課題】入力する複数の映像信号のうち表示するべき信号を、選択して出力するための構成を簡単にする。【解決手段】複数の表示領域に映像を表示するプロジェクタは、映像信号を入力ポートのそれぞれを介して入力する入力部９と、入力部９が入力した複数の映像信号のうちから、表示領域の数の映像信号を選択して出力するレシーバ１０と、レシーバ１０が出力する映像信号それぞれの表示先を、表示領域それぞれに割付けるマルチプレクサを有した映像信号処理回路１１と、を備える。レシーバ１０は、スイッチ２１と２２を含み、スイッチのそれぞれは、切換信号２０１に基づき複数の映像信号のうちから１つの映像信号を選択して出力する。【選択図】図３
2011017860.tif 000002
【特許請求の範囲】
【請求項１】
Ｎ（Ｎは２以上の整数）個の表示領域それぞれに映像を表示する映像表示装置であって、
Ｍ（Ｍは２以上の整数）個の入力ポートを含み、外部から供給される映像信号を前記入力ポートのそれぞれを介して入力する入力部と、
前記入力部が入力したＭ個の映像信号のうちから、Ｎ個の映像信号を選択して出力する受理部と、
前記受理部が出力するＮ個の映像信号それぞれの表示先を、Ｎ個の前記表示領域それぞれに割付ける割付け部と、を備え、
前記受理部は、
Ｎ個の選択部を含み、
前記選択部のそれぞれは、外部から与えられる第１信号に基づき、Ｍ個の映像信号のうちから１つの映像信号を選択して出力する、映像表示装置。
【請求項２】
前記割付け部は、前記外部から与えられる第２信号に基づき、Ｎ個の映像信号それぞれの表示先を、Ｎ個の前記表示領域それぞれに割付ける、請求項１に記載の映像表示装置。
【請求項３】
Ｍ個の前記入力ポートには、第１入力ポートが含まれて、
前記第１入力ポートには、認証リクエストに応じて前記映像表示装置の認証処理を開始し、認証に成功したときに前記映像表示装置に映像信号を供給開始する信号供給装置が接続されて、
前記受理部は、前記第１入力ポートに接続された前記信号供給装置による前記認証処理の結果を検知する認証部を含み、
前記認証部の検知内容を出力する、請求項２に記載の映像表示装置。
【請求項４】
前記検知内容は、前記第１入力ポートの識別情報を含む、請求項３に記載の映像表示装置。
【請求項５】
前記検知内容の表示を、Ｎ個の前記表示領域における映像の表示と同時にする、請求項４に記載の映像表示装置。
【請求項６】
前記認証部は、
前記第１入力ポートを介した映像信号の受信に先立って、前記認証処理のために当該第１入力ポートを介して前記信号供給装置に前記認証リクエストを送信し、
認証に成功している前記信号供給装置が接続される前記第１入力ポートから、映像信号を受信するように指示する前記第１信号または前記第２信号が与えられる場合には、前記認証部による前記認証リクエストの送信を省略する、請求項５に記載の映像表示装置。
【請求項７】
前記Ｍ個の入力ポートは、アナログ映像信号が供給される入力ポートと、デジタル映像信号が供給される入力ポートとを含み、
前記第１入力ポートには、デジタル映像信号が入力されるポートを指す、請求項６に記載の映像表示装置。
【請求項８】
映像が同時に表示されるＮ（Ｎは２以上の整数）個の表示領域における表示映像の切換方法であって、
Ｍ（Ｍは２以上の整数）個の入力ポートに外部から供給される映像信号を入力するステップと、
入力したＭ個の映像信号のうちから、Ｎ個の映像信号を選択して出力するステップと、
選択して出力されるＮ個の映像信号それぞれの表示先を、Ｎ個の前記表示領域それぞれに割付けるステップと、を備え、
前記選択して出力するステップは、
Ｎ個の選択ステップを含み、
Ｎ個の選択ステップのそれぞれでは、与えられる第１信号に基づき、Ｍ個の映像信号のうちから１つの映像信号を選択して出力する、表示映像の切換方法。
【発明の詳細な説明】
【技術分野】
【０００１】
本発明は、複数の映像を表示する映像表示装置および表示映像の切換方法に関し、特に、同一の画面に複数の映像を同時に表示する映像表示装置および表示映像の切換方法に関する。
【背景技術】
【０００２】
送信されるデジタル映像信号を受信し、受信した映像信号を処理して表示する場合において、映像信号の伝送路に関して、近年はＨＤＭＩ（High  Definition  Multimedia  Interface）が適用される。ＨＤＭＩは、相互に通信相手を認証し、デジタル信号による高画質な映像を暗号化して伝送するとの特徴を有する。ＨＤＭＩに従って信号を供給する装置（ソース機器という）としては、ＤＶＤ（（Digital  Versatile  Disc）再生装置、Ｂｌｕｅ−Ｒａｙディスク再生装置などがあり、ソース機器の種類の多様化によって、ソース機器から信号を受ける映像表示装置などの機器（シンク機器という）本体における入力ポート数は、増加する傾向にある。また、シンク機器においても、複数の映像を同時に提供できるように、同一画面に複数個の映像を同時に表示する機能を備える。シンク機器では、デジタル映像信号の入力ポートに加えてアナログ映像信号を入力するポートも備える場合があり、入力ポート数はさらに増える。
【０００３】
複数の入力ポートを備える機器として、特許文献１（特開２００９−２１９２５号公報）のテレビジョン受像機などの映像表示装置がある。当該装置は、複数のＨＤＭＩケーブルを接続するために、複数のＨＤＭＩの入力ポートを備えている。
【先行技術文献】
【特許文献】
【０００４】
【特許文献１】特開２００９−２１９２５号公報
【発明の概要】
【発明が解決しようとする課題】
【０００５】
シンク機器として、たとえばプロジェクタを想定する。ＨＤＭＩの４個の入力ポートを備えるプロジェクタにおいて、２個の映像を同時に表示する２画面表示機能により映像を表示する場合を想定する。ここで２画面は、２個の映像のうちの一方を表示する画面であって比較的に大きいサイズの画面（以下、メイン画面という）と、２個の映像のうちの他方を表示する画面であってメイン画面よりも小さいサイズの画面（以下、サブ画面という）とを想定する。
【０００６】
ここで、プロジェクタは、メイン画面とサブ画面それぞれに表示するべき映像を、４個のＨＤＭＩの入力ポートの映像信号の組合わせに従って切換えると想定した場合、全てのＨＤＭＩの入力ポートに対してＨＤＭＩのレシーバ回路を備える必要があり、プロジェクタを構成する回路が非常に高価となる。
【０００７】
図７には、上述のコストの課題を解消するための従来構成の一例が示される。図７では、４個のＨＤＭＩの入力ポートで受信した信号は、スイッチ回路１０１と１０２を経由して、レシーバ１０３と１０４に与えられる。レシーバ１０３と１０４は与えられる信号を受信処理し、処理後の信号を表示のための映像信号処理回路１０５に出力する。スイッチ１０１または１０２は、入力信号を切換える機能と、ＴＭＤＳ（Transition  Minimized  Differential  Signaling）をイコライズする機能とを備える。レシーバ１０３と１０４は、ＨＤＣＰ（High-bandwidth  Digital  Content  Protection  System）の鍵（ｋｅｙ）を有し認証および暗号の復号化の機能を有するＨＤＣＰ回路、またはＴＭＤＳ信号を受信し液晶デバイスを駆動するためのＬＶＴＴＬ（Low  Voltage  Transistor  Transistor  Logic）に変換し、変換後の信号を出力する回路を有する。映像信号処理回路５は、２画面を生成する回路を備えており、この回路は入力する２個の映像信号を、図８のように、メイン画面に対応のメインウィンドウとサブ画面に対応するサブウィンドウそれぞれに表示するべき映像信号を生成する機能を有する。
【０００８】
図７の回路構成の場合、ＨＤＭＩの４個の入力ポートのうち１〜３ポート目へ入力された映像信号は、スイッチ１０１に与えられる。スイッチ１０１は、入力映像信号のうちの１つを選択して、選択した映像信号をレシーバ１０３に出力する。また、ＨＤＭＩ入力の４ポート目へ入力された映像信号はスイッチ１０２を通過して、レシーバ１０４に出力される。ＨＤＭＩ入力の１〜３ポート目は、図８のメインウィンドウに割当てし、ＨＤＭＩ入力の４ポート目をサブウィンドウに割当てしたとすれば、メインウィンドウにはＨＤＭＩ入力の１〜３ポート目の何れかに入力する映像信号を表示することができ、サブウィンドウにはＨＤＭＩ入力の４ポート目に入力する映像信号を表示することができる。
【０００９】
この時、メインウィンドウにＨＤＭＩ入力の１ポート目の映像信号を表示していた場合、２ポート目または３ポート目の入力映像信号はサブウィンドウに表示することができなかった。
【００１０】
また、プロジェクタに入力する信号がデジタル映像信号とアナログ映像信号である場合には、図７の構成は図９のように変更される。図９では、図７の構成に加えて、アナログ映像信号を入力するアナログ入力（ビデオやコンピュータなどの信号）ポートと、Ａ／Ｄ（Analog／Digital）コンバータ１０６とを備える。アナログ入力ポートの入力映像信号は、Ａ／Ｄコンバータ１０６によりアナログ信号からデジタル信号に変換された後に、映像信号処理回路１０５に与えられる。
【００１１】
動作においては、アナログ入力ポートの映像信号、ならびにレシーバ１０３と１０４から出力される映像信号は、映像信号処理回路１０５に与えられる。映像信号処理回路１０５は、内部で入力信号を切換えて、入力映像信号のうちの１つを出力する。したがって、メインウィンドウとサブウィンドウに表示するべき映像信号を、アナログ信号とデジタル信号との間で交換することができる。
【００１２】
次に、図９の構成において、メインウィンドウに、アナログ入力ポートの入力映像信号が表示されており、また、ＨＤＭＩ入力の１ポート目に入力映像信号があり、且つ、ＨＤＭＩ入力の２ポート目と３ポート目には映像信号が入力されていない場合を想定する。レシーバ１０３と１０４は、ＨＤＣＰ用の回路を用いて、ＨＤＣＰに従って認証処理をした後に、暗号化された映像信号を受信する。受信した映像信号は、ＨＤＣＰの手続きに従ってキーを用いて復号し、復号後の映像信号を像信号処理回路１０５に出力する。このとき、認証処理に時間（数秒）を要し、その結果、映像を表示するまでに時間がかかる。ユーザにとっては、その待ち時間が煩わしい。
【００１３】
この待ち時間は、ユーザが認証済みのポートを知ることができないということに起因する。つまり、ユーザは映像信号の表示切換えを行なうに際して、一方のウィンドウに、アナログ入力ポートからの映像信号を表示中は、他方のウィンドウにＨＤＭＩの入力ポートのうちのいずれかに与えられる映像信号を表示できるが、ユーザには、どのポートに関して認証済みであるかが提示されなかった。それゆえに、未認証のポートを選択する可能性があり、その場合には、認証時間を要するために、映像表示まで時間がかかることとなった。
【００１４】
それゆえに、この発明の目的は、入力する複数の映像信号のうち表示するべき信号を、選択して出力するための構成が簡単化された映像表示装置および表示映像の切換方法に関する。
【課題を解決するための手段】
【００１５】
この発明のある局面に従う、Ｎ（Ｎは２以上の整数）個の表示領域それぞれに映像を表示する映像表示装置は、Ｍ（Ｍは２以上の整数）個の入力ポートを含み、外部から供給される映像信号を前記入力ポートのそれぞれを介して入力する入力部と、入力部が入力したＭ個の映像信号のうちから、Ｎ個の映像信号を選択して出力する受理部と、受理部が出力するＮ個の映像信号それぞれの表示先を、Ｎ個の前記表示領域それぞれに割付ける割付け部と、を備える。受理部は、Ｎ個の選択部を含み、選択部のそれぞれは、外部から与えられる第１信号に基づき、Ｍ個の映像信号のうちから１つの映像信号を選択して出力する。
【００１６】
好ましくは、割付け部は、外部から与えられる第２信号に基づき、Ｎ個の映像信号それぞれの表示先を、Ｎ個の前記表示領域それぞれに割付ける。
【００１７】
好ましくは、Ｍ個の入力ポートには、第１入力ポートが含まれて、第１入力ポートには、認証リクエストに応じて映像表示装置の認証処理を開始し、認証に成功したときに映像表示装置に映像信号を供給開始する信号供給装置が接続される。受理部は、第１入力ポートに接続された信号供給装置による認証処理の結果を検知する認証部を含む。認証部の検知内容が出力される。
【００１８】
好ましくは、検知内容は、第１入力ポートの識別情報を含む。
好ましくは、検知内容の表示を、Ｎ個の表示領域における映像の表示と同時にする。
【００１９】
好ましくは、認証部は、第１入力ポートを介した映像信号の受信に先立って、認証処理のために当該第１入力ポートを介して信号供給装置に認証リクエストを送信する。認証に成功している信号供給装置が接続される第１入力ポートから、映像信号を受信するように指示する第１信号または第２信号が与えられる場合には、認証部による認証リクエストの送信を省略する。
【００２０】
好ましくは、Ｍ個の入力ポートは、アナログ映像信号が供給される入力ポートと、デジタル映像信号が供給される入力ポートとを含み、第１入力ポートには、デジタル映像信号が入力されるポートを指す。
【００２１】
この発明の他の局面に従う、映像が同時に表示されるＮ（Ｎは２以上の整数）個の表示領域における表示映像の切換方法は、Ｍ（Ｍは２以上の整数）個の入力ポートに外部から供給される映像信号を入力するステップと、入力したＭ個の映像信号のうちから、Ｎ個の映像信号を選択して出力するステップと、選択して出力されるＮ個の映像信号それぞれの表示先を、Ｎ個の表示領域それぞれに割付けるステップと、を備える。
【００２２】
選択して出力するステップは、Ｎ個の選択ステップを含む。Ｎ個の選択ステップのそれぞれでは、与えられる第１信号に基づき、Ｍ個の映像信号のうちから１つの映像信号を選択して出力する。
【発明の効果】
【００２３】
この発明によれば、入力するＭ個の映像信号のうちから、Ｎ個の映像信号を選択して、この選択したＮ個の映像信号それぞれの表示先を、Ｎ個の表示領域それぞれに割付ける場合に、Ｎ個の選択部（選択ステップ）それぞれでは、外部から与えられる第１信号に基づき、Ｍ個の映像信号のうちから１つの映像信号を選択して出力する。
【００２４】
これにより、Ｎ個の選択部（選択ステップ）を設けるとの簡単構成により、Ｎ個の表示領域それぞれにおいて切換え表示可能な映像信号を、入力し得る複数の映像信号すべてとすることができる。
【００２５】
また、別の局面によれば、認証に成功している信号供給装置が接続されている入力ポートの識別情報が出力されるので、ユーザは出力内容を確認して、認証に成功している入力ポートからの映像信号を選択的に表示することを指示する第１信号または第２信号を入力することができる。その結果、認証に係る処理時間を省いて速やかに表示する映像信号の切換が可能となる。
【図面の簡単な説明】
【００２６】
【図１】本実施の形態に係るプロジェクタにより映像を投影する場合の周辺装置の構成を説明する図である。
【図２】本実施の形態に係るプロジェクタの構成を示す図である。
【図３】図２の一部構成を詳細に示す図である。
【図４】本実施の形態に係る映像信号処理回路の構成図である。
【図５】本実施の形態に係る（投影）表示される映像の一例を説明する図である。
【図６】本実施の形態に係る処理手順の一例を示す図である。
【図７】従来の映像表示装置の回路の一部構成の一例を示す概略図である。
【図８】従来の表示画面における表示するべき映像の割付を説明する図である。
【図９】従来の映像表示装置の回路の一部構成の他の例を示す概略図である。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
図１を参照して、本実施の形態に係る映像表示装置に相当するプロジェクタ１により映像を投影する場合の周辺装置の構成を説明する。プロジェクタ（以下、ＰＪと略す）１は、液晶デバイスを利用して映像を投影する液晶プロジェクタであって、スクリーン６に液晶デバイスにより表示される映像の光を投射することにより、映像を投影（表示）する。投影面は、スクリーン６に限定されず、壁面であってもよい。ＰＪ１はユーザが操作するリモコン（リモートコントローラの略）４から送信される赤外線変調されたリモコン信号を受信するリモコン受信部２０と、入力部９を備える。リモコン信号には、ＰＪ１をユーザが遠隔制御するためのコマンド信号が含まれる。入力部９は２個以上の入力ポートを含み、各ポートからは異なる種類の映像信号が入力可能であると想定し、スクリーン６には異なる映像を投影（表示）するために２個以上のウィンドウ（領域）があると想定する。
【００２９】
入力部９には、デジタル伝送路３とアナログ伝送路７とが接続される。デジタル伝送路３は、複数のケーブルを含む。各ケーブルは、外部のデジタル信号供給装置２ＤのそれぞれとＰＪ１との間でＨＤＭＩに従う信号を伝送する。各ケーブルは入力部９の各入力ポートに接続される。
【００３０】
アナログ伝送路７は複数の有線または無線の伝送路を含む。各伝送路は、アナログ信号供給装置２ＡのそれぞれとＰＪ１との間で信号を伝送する。各伝送路上には、Ａ／Ｄコンバータ５が接続される。Ａ／Ｄコンバータ５は、アナログ信号供給装置２Ａから送信されたアナログ信号をデジタル信号に変換し、変換後の信号を入力部９に出力する。アナログ伝送７の各伝送路は入力部９の各入力ポートに接続される。
【００３１】
ここでは、デジタル信号供給装置２Ｄは、ＤＶＤ再生装置、Ｂｌｕｅ-Ｒａｙディスク再生装置などのデジタル信号を出力する装置を想定し、アナログ信号供給装置２Ａは、コンピュータなどのアナログ信号を出力する装置を想定する。
【００３２】
説明を簡単にするために、アナログ信号供給装置２Ａから送信されるアナログ信号は映像信号であると想定し、デジタル信号供給装置２Ｄから送信されるデジタル信号は映像信号とＨＤＣＰに関する認証情報を含むと想定する。映像信号とともに音声信号も伝送されるが、説明を簡単にするために、音声信号の伝送およびＰＪ１における音声信号処理の説明は略す。
【００３３】
図２を参照して、ＰＪ１は、入力部９から与えられるVideo、S-Video、コンポーネントなどのアナログ映像信号を受信処理して出力するレシーバ部１０、レシーバ部１０から出力された映像信号を表示のための信号に処理して出力する映像信号処理回路１１、映像信号処理回路１１から出力される映像信号に、マイコン１３から与えられる情報に基づく画像データの信号を重畳して、重畳がされた後の映像信号を出力するＯＳＤ（On  Screen  Display）回路５０、ＯＳＤ回路５０から出力された映像信号を入力しアナログ信号に変換して出力するＤＡＣ（Digital  Analog  Converter）１２、ＰＪ１の各部を制御するマイコン（マイクロコンピュータ）１３、液晶表示駆動部１４、光学系１５、図示のないＡＣ（Alternating  Current）電源のコンセントに差込まれるプラグ１８を経由して電源が供給されて、供給された電源をＰＪ１内の各部に供給する電源ユニット１７、およびコネクタ１９を介してＰＪ１に着脱自在に取付けられるランプ１６を含む。
【００３４】
マイコン１３は、リモコン４からリモコン受信部２０を介して入力したコマンド信号に基づいて、切換信号２０１と２０２を生成して出力する。
【００３５】
レシーバ部１０は、受信したデジタル映像信号をアナログ信号の変換するＡＤＣ（Analog  Digital  Converter）機能と、ＨＤＣＰに従う認証機能および暗号の復号機能とを有する。
【００３６】
ここで、本実施の形態に適用されるＨＤＣＰの認証機能について説明する。ＨＤＣＰは、ＨＤＭＩに従って伝送されるデータの暗号化を実現するために用いられる。これにより、デジタル伝送路３上を伝送される映像信号などのコンテンツが不正にコピーされるのを防止できる。ここでは、デジタル伝送路３は、ＨＤＭＩに従ってデータ・信号を伝送する経路であるとしているが、ＤＶＩ（Digital  Visual  Interface）に従った伝送経路であってもよい。
【００３７】
ＨＤＣＰによる伝送データ・信号の保護は、まず、送信側（デジタル信号供給装置２Ｄ）は受信側（ＰＪ１）と双方向に通信をして相互認証のための情報をやり取りする。当該情報に基づき送信側は受信側を認証する。認証結果、受信側を認証できた場合には、送信側は、予め共通に有した鍵を用いてデジタル映像信号を暗号化した後に、デジタル伝送路３を介して受信側に送信する。受信側は、予め共有している鍵を用いて暗号を復号する。送信側が、受信側を認証できない場合には、送信側は受信側へのデジタル映像信号の送信を拒絶するので、受信側に対しては映像信号は送信されない。
【００３８】
ＰＪ１では、液晶表示駆動部１４、光学系１５およびランプ１６は、ＤＡＣ１２から出力される映像信号に従って、マイコン１３の制御の下に、スクリーン６に映像を投影するための投影部に相当する。
【００３９】
投影部の動作について説明する。照明装置であるランプ１６は、たとえば超高圧水銀ランプ、メタルハライドランプ、キセノンランプなどからなる。ランプ１６からは、ほぼ平行光となって光が液晶表示駆動部１４に出射される。
【００４０】
液晶表示駆動部１４は図示のないレンズおよびプリズムを含む光学系とＲ，Ｇ，Ｂの各液晶パネルとを含む。液晶表示駆動部１４では、内部の図示のないレンズ系を通過したランプ１６からの光は、Ｒ，Ｇ，Ｂの各液晶パネルに光量分布が均一となるよう入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、ほぼ平行光でＲ，Ｇ，Ｂの各液晶パネルに入射する。各液晶パネルは、ＤＡＣ１２から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投射レンズによって、スクリーン６上に拡大投射される。投射レンズは、投射光を被投射面であるスクリーン６に結像させるためのレンズ群と、これらレンズ群の一部を光軸方向に変位させて投射画像のズーム状態およびフォーカス状態を調整するためのアクチュエータを備えている。
【００４１】
図３は、図２の一部（入力部９、レシーバ部１０、映像信号処理回路１１）を詳細に示す図である。なお、図３では入力部９とレシーバ部１０とを結ぶデータ・信号の伝送方向を指す矢印の向きは、本来であれば、上述のＨＤＣＰの双方向通信による認証処理のために双方向とすべきであるが、ここでは、その図示を略して、映像信号の通信方向のみを指す片方向矢印としている。
【００４２】
図３を参照して、入力部９は入力ポート９Ａ１、９Ａ２、９Ａ３、９Ｄ１、９Ｄ２、９Ｄ３および９Ｄ４を含む。入力ポート９Ａ１〜９Ａ３のそれぞれには、アナログ伝送路７の各伝送路によってアナログ信号供給装置２Ａが接続される。また、入力ポート９Ｄ１〜９Ｄ４のそれぞれには、デジタル伝送路３の各ケーブルによってデジタル信号供給装置２Ｄが接続される。各入力ポートには、接続されたアナログまたはデジタル信号供給装置２Ａまたは２Ｄからアナログまたはデジタル映像信号が供給されて、供給された信号を入力する。
【００４３】
ここでは、入力ポート９Ａ１は、コンポジットビデオ（composite-video）信号を入力し、入力ポート９Ａ２は、コンポーネント（Component）信号を入力し、入力ポート９Ａ３はS-VIDEO信号を入力するというように、各入力ポートは異なる種類の映像信号を入力すると想定する。
【００４４】
レシーバ部１０は、切換信号２０１に基づき、デジタル映像信号の入力ポート９Ｄ１〜９Ｄ４のうちから、表示先のウィンドウの個数のポートだけ選択して、選択した入力ポートの供給されているデジタル映像信号を、出力側の映像信号処理回路１１に導出するように動作する。レシーバ部１０は、スイッチ２１と２２、およびスイッチ２１と２２の出力側に接続されたレシーバ２３と２４を含む。具体的には、スイッチ２１と２２は、それぞれ入力ポート９Ｄ１〜９Ｄ４が接続されて、これら入力ポートのうちから、マイコン１３から与えられる切換信号２０１に従って１個のポートを選択し、選択した入力ポートを当該スイッチの出力側に接続する。したがって、スイッチ２１と２２のそれぞれは、選択した入力ポートとレシーバ２３と２４のそれぞれを接続するように動作する。
【００４５】
レシーバ２３と２４は認証回路２３１と２４１をそれぞれ含む。認証回路２３１と２４１は、スイッチ２１と２２を介して接続された入力ポートに対して信号を供給するデジタル信号供給装置２Ｄと、スイッチ２１と２２、入力ポートおよびデジタル伝送路３を介して、双方向に通信しながら認証情報を用いて、ＨＤＣＰに従う手順で認証処理をする。
【００４６】
認証回路２３１と２４１のそれぞれは、スイッチ２１と２２が切換信号２０１を入力する毎に、切換信号２０１に基づく入力ポートの切換を行うが、この切換毎に認証のリクエストを切換えられた入力ポートに接続されるデジタル信号供給装置２Ｄに送信する。認証のリクエストを受信したデジタル信号供給装置２Ｄは、上述した認証処理を実行し、認証結果を要求元の認証回路２３１と２４１に送信する。認証回路２３１と２４１は認証結果を受信し、受信した認証結果（認証に成功したか否か）を示す認証検知信号２５１を生成してマイコン１３に出力する。レシーバ１０が入力部９から入力する信号には、入力部９によって当該信号を受信したポートを識別する情報が付される。したがって、認証回路２３１と２４１は、入力する信号に基づいて、認証検知信号２５１に、デジタル入力ポート９Ｄ１〜９Ｄ４のうちＰＪ１の認証に成功したデジタル信号供給装置２Ｄが接続されているポートの識別情報（ポート番号など）を含ませている。
【００４７】
認証に成功した後は、選択した入力ポートに接続されたデジタル信号供給装置２Ｄから暗号化されたデジタル映像信号が送信開始されるので、レシーバ２３と２４は、選択した入力ポートを介して、映像信号を入力し、予め有する鍵を用いて復号した後に、映像信号処理回路１１に出力する。
【００４８】
図３では、スイッチ２１と２２は、入力差動インピーダンスなどＨＤＭＩspecification（仕様書）で規定される電気的特性を満たすと想定する。
【００４９】
図４には、図３の映像信号処理回路１１の詳細が示される。映像信号処理回路１１は、切換信号２０２に基づき、入力する映像信号に、その表示先となるウィンドウを割付ける動作をする。入力する映像信号には、レシーバ部１０から入力するデジタル映像信号と、入力部９から入力するアナログ映像信号が含まれる。
【００５０】
図４を参照して、映像信号処理回路１１は上述の割付けのためのマルチプレクサ４０、映像信号の画像メモリに相当のバッファメモリであるメインメモリ３７ならびにサブメモリ３８、ならびに合成部３９を備える。メインメモリ３７はメインウィンドウに表示するべき映像を１フレーム毎に格納し、サブメモリ３８はサブウィンドウに表示するべき映像を１フレーム毎に格納する。メインメモリ３７およびサブメモリ３８から読出された映像信号は、合成部３９で合成処理がされた後に、ＤＡＣ１２に出力される。
【００５１】
マルチプレクサ４０は、図示されないが多段に接続された論理ゲート群を含む。そして、この論理ゲート群の入力段に接続されるアナログ映像信号の入力ポート９Ａ１、９Ａ２および９Ａ３が接続されて、これらポートで受信したアナログ映像信号を入力するアナログ入力部３１、レシーバ２３の出力するデジタル映像信号を入力する第１デジタル入力部３２、レシーバ２４の出力するデジタル映像信号を入力する第２デジタル入力部３３、マイコン１３から与えられる切換信号２０２を入力する切換入力部３４、メインメモリ３７が接続されるメイン出力端子３５およびサブメモリ３８が接続されるサブ出力端子３６を含む。ここでは、入力ポート９Ａ１、９Ａ２および９Ａ３のいずれか１つにだけアナログ映像信号が与えられていると想定する。
【００５２】
メインメモリ３７には、メイン出力端子３５から出力される１フレーム毎の映像信号のうちメインウィンドウに相当するサイズの映像信号のデータのみが格納される。同様に、サブメモリ３８には、サブ出力端子３６から出力される１フレーム毎の映像信号のうちサブウィンドウに相当するサイズの映像信号のみのデータが格納される。１フレーム毎の映像信号のデータは、対応するメモリのサイズに一致するように縮小された後に格納されるようにしてもよい。
【００５３】
メインメモリ３７とサブメモリ３８から読出されたデータは合成部３９に与えられる。合成部３９は、与えられるデータに基づきスクリーン６に表示する１フレーム分のデジタルの映像信号を合成する。合成して得られた１フレーム分の映像信号は、ＯＳＤ回路５０を経由してＤＡＣ１２に出力される。
【００５４】
動作において、マルチプレクサ４０は、アナログ入力部３１、ならびに第１および第２デジタル入力部３２および３３から入力する信号のうち、メインおよびサブの出力端子３５および３６のそれぞれに導出すべき信号を、切換信号２０２に基づき決定する。たとえば、マイコン１３が受信したリモコン信号のコマンドに基づき生成した切換信号２０２が（３１，３６／３２，３５）を指示するとき、マルチプレクサ４０は切換信号２０２に基づき、アナログ入力部３１から入力するアナログ映像信号を端子３６に導出し、第１デジタル入力部３２から入力のアナログ映像信号を端子３５に導出するように動作する。これにより、メインウィンドウを構成するデジタル映像信号による画像信号（階調信号）がＤＡＣ１２を介して液晶表示駆動部１４に出力されて、サブウィンドウを構成するアナログ映像信号による画像信号（階調信号）がＤＡＣ１２を介して液晶表示駆動部１４に与えられる。
【００５５】
液晶表示駆動部１４は、与えられる１フレーム分の映像信号に基づき各液晶パネルを駆動する。これにより、各液晶パネルのメインウィンドウに対応する領域はメインメモリ３７から読出したデジタル映像信号の階調信号に基づき駆動される。また、各液晶パネルのサブンウィンドウに対応する領域はサブメモリ３８から読出したアナログ映像信号の階調信号に基づき駆動される。これにより、図８のようにスクリーン６にはアナログ映像信号とデジタル映像信号による映像が、マルチウィンドウにて同時に表示される。
【００５６】
図３によれば、スイッチ２１と２２は、いずれもデジタル映像信号を入力するべき入力ポート９Ｄ１〜９Ｄ４の全てが接続されて、切換信号２０１に基づき、接続された入力ポートのうちのいずれか１つを選択的に出力側に接続する。したがって、メインウィンドウには、入力ポート９Ｄ１〜９Ｄ４のいずれかに与えられる映像信号を表示でき、また、サブウィンドウにおいても入力ポート９Ｄ１〜９Ｄ４のいずれかに与えられる映像信号を表示できる。これにより、たとえばＨＤＭＩの入力ポート９Ｄ１のデジタル映像信号をメインウィンドウで表示している場合は、サブウィンドウには他のＨＤＭＩの入力ポート９Ｄ１〜９Ｄ４のいずれか１つを表示することができるので、図７で示したような表示する映像信号の選択に関する制限は解消される。
【００５７】
また、図３の構成によれば、サブウィンドウにＨＤＭＩの入力ポート９Ｄ１の映像を表示している場合でも、同様にＨＤＭＩの入力ポート９Ｄ１〜９Ｄ４のずれかの入力映像信号による信号をメインウィンドウに同時に表示することができる。
【００５８】
また、切換信号２０１と２０２の組合せによって、ウィンドウ毎に、表示する映像信号の切換えを行うことができる。たとえば、メインウィンドウにＨＤＭＩの入力ポート９Ｄ１の映像を表示している場合に、メインウィンドウ内の映像を、アナログの入力ポート９Ａ２の映像に切換えたい場合には、ユーザはリモコン４を操作して切換えのコマンドを送信すれば、当該コマンドによってマイコン１３が生成する切換信号２０１と２０２によりメインウィンドウの映像をデジタル映像信号からアナログ映像信号に切換えることができる。
【００５９】
また、ユーザが与えるコマンドに基づき生成される切換信号２０１と２０２の組合せにより次のような切換も可能である。つまり、メインウィンドウにＨＤＭＩの入力ポート９Ｄ１の映像を表示し、サブウィンドウにＨＤＭＩの入力ポート９Ｄ２の映像を表示している場合において、新たな切換信号２０２を出力することによって、表示する映像信号は変更せずに当該映像信号の表示先のウィンドウを切換えることができる。つまり、入力ポート９Ｄ２の映像をサブウィンドウからメインウィンドウに切換て表示し、入力ポート９Ｄ１の映像信号をメインウィンドウからサブウィンドウに切換て表示することができる。
【００６０】
（認証済みの映像信号の選択）
ＨＤＣＰに従って認証済みの映像信号を選択して表示する構成について説明する。
【００６１】
たとえば、ＨＤＭＩの入力ポート９Ｄ１の映像信号を、スイッチ２１およびレシーバ２３を用いてメインウィンドウに表示し、サブウィンドウにはアナログの入力ポート９Ａ１の映像信号が表示されており、ＨＤＭＩの入力ポート９Ｄ２〜９Ｄ４のいずれか１つ以上にデジタル信号供給装置２Ｄが接続されていると想定する。この場合、切換信号２０１に基づき、スイッチ２２によって入力ポート９Ｄ２〜９Ｄ４のうちから選択された１つに接続されたデジタル信号供給装置２Ｄは、ＰＪ１を認証処理する。認証回路２４１は、認証結果を受信し、受信した認証結果に基づき、認証検知信号２５１を生成しマイコン１３に出力する。認証に成功した場合には、認証検知信号２５１には、スイッチ２２により選択的に接続された入力ポートの識別情報が含まれる。マイコン１３は、認証検知信号２５１が指す入力ポートの識別情報を内部メモリに格納する。
【００６２】
マイコン１３は、入力した認証検知信号２５１が指す入力ポートの識別情報に基づき、映像に重畳表示するべき画像の信号を生成してＯＳＤ回路５０に出力する。ＯＳＤ回路５０は、映像信号処理回路１１から入力する１フレーム分の映像信号に、マイコン１３から与えられる画像の信号を重畳して、重畳後の映像信号を出力する。これにより、スクリーン６には、図５のように、メインウィンドウ２７とサブウィンドウ２８における映像の表示とともに、メッセージ２６が表示される。メッセージ２６は、ＯＳＤ回路５０によって映像に重畳して表示される情報であって、認証回路２４１が出力する認証検知信号２５１に基づき、ＨＤＭＩの入力ポート９Ｄ１〜９Ｄ４のうち３番目の入力ポート９Ｄ３に接続されたデジタル信号供給装置２ＤはＰＪ１を既に認証済み（認証成功）であり、当該デジタル信号供給装置２Ｄから映像信号が送信開始されて、入力ポート９Ｄ３により受信される状態であることがユーザに報知される（図５参照）。
【００６３】
なお、認証に成功していない場合には、メッセージ２６として‘認証済みのポートは無し’のメッセージが表示される。
【００６４】
図５の表示を確認したユーザは、メインウィンドウまたはサブウィンドウに表示する映像を切換えるために、メッセージ２６が指す認証済みの入力ポート（図５の場合は入力ポート９Ｄ３）への切換を指すコマンドを入力する。マイコン１３は受信コマンドを解析し、解析結果に基づき切換信号２０１または２０２を生成して出力する。また、マイコン１３は解析により得られたユーザが指定する入力ポートの識別情報と、内部メモリに格納されている認証済みの入力ポートの識別情報とを比較する。比較結果に基づき一致を判定すると、当該入力ポートの識別情報を含んだ認証検知信号２５１の出力元である認証回路２４１に対して、認証処理を省略するための指示を出力する。認証回路２４１は、認証省略の指示に応答して、映像信号の入力ポートの切換指示があったとしても、認証のリクエスト送信を省略する。
【００６５】
これにより、認証済みのデジタル信号供給装置２Ｄが接続される入力ポートから、表示するべきデジタル映像信号を受信するように切換の指示がされる場合には、認証処理が省略されるので、認証にかかる待ち時間なく速やかに表示すべき映像信号の切換を行うことができる。
【００６６】
（映像信号切換手順について）
図６を参照して、図３の回路による入力する映像信号の切換の手順を説明する。入力部９の入力ポートには１つ以上のアナログ信号供給装置２Ａと１つ以上のデジタル信号供給装置２Ｄが接続されていると想定する。
【００６７】
まず、マイコン１３は、リモコン受信部２０を介してコマンド信号を入力すると、コマンド信号に基づき、切換信号２０１と２０２を生成して出力する（ステップＳ３）。次に、スイッチ２１と２２は与えられる切換信号２０１に基づき、指定される入力ポートを選択する。これにより、選択した入力ポートは、出力側のレシーバ２３と２４に接続される（ステップＳ５）。レシーバ２３と２４では、認証回路２３１と２４１によって、上述の認証処理が行われる（ステップＳ７）。つまり、認証回路２３１と２４１は、認証開始のリクエストを送信する。接続されたデジタル信号供給装置２Ｄでは、リクエストに応答してＰＪ１の認証処理を実行する。認証の結果を認証回路２３１と２４１は受信し、認証検知信号２５１をマイコン１３に出力する。
【００６８】
続いて、マルチプレクサ４０は、与えられる切換信号２０２に基づき、メインウィンドウおよびサブウィンドウに表示するべき映像信号を、アナログ入力部３１、ならびに第１および第２デジタル入力部３２および３３において入力する映像信号のうちから選択して、出力する（ステップＳ９）。これにより、合成部３９によって、切換信号２０１および２０２によって指定された各ウィンドウに表示するべき映像信号を割付けることができて、１フレーム分のデジタルの映像信号が合成されて、出力される。
【００６９】
合成された１フレーム分の映像信号に従ってスクリーン６に映像が表示（投影）される（ステップＳ１１）。この表示において、ＯＳＤ回路５０により、認証検知信号２５１が指す認証済みの入力ポートの識別情報が同時に表示される（図５参照）。
【００７０】
（他の構成）
本実施の形態では、ＰＪ１はリモコン４により遠隔制御されるとしているが、ＰＪ１に操作パネル（液晶を用いた表示一体型入力部など）を設けて、ユーザは操作パネルを操作してコマンドを入力しても良い。コマンド入力時には、操作パネルまたはリモコン４の表示部にコマンド入力のためのメニュー画面が表示されて、その中から選択して入力しても良い。または、スクリーン６に映像を表示するときにメニュー画面をＯＳＤ５０により表示するようにして、ユーザは表示されるメニューに基づきコマンドを選択して、入力しても良い。
【００７１】
本実施の形態では、切換信号２０１により、スイッチ２１と２２は異なる入力ポートの映像信号が選択されるとしているが、同じ入力ポートの映像信号が選択されるようにしてもよい。この場合には、メインウィンドウとサブウィンドウに同じ映像が表示され得る。
【００７２】
メッセージ２６を報知するための出力態様は、スクリーン６の映像に重畳して表示する態様に限定されず、たとえばＰＪ１の本体に設けられたＬＥＤ(Light  Emitting  Diode）、ＬＣＤ（Liquid  Crystal  Display）を用いた表示であってもよい。
【００７３】
また、映像に重畳してメッセージ２６を表示するか否かは、ユーザのリモコン４から与えられるコマンドに基づき切換えるようにしてよい。
【００７４】
また、異なる映像信号を表示するウィンドウの配置は、図８の横に並列する態様に限定されず、縦に並列する態様であってもよく、またはメインウィンドウ内にサブウィンドウを配置する態様であってもよい。また、ウィンドウのサイズは本実施の形態のように異なってもよいが、同じサイズであってもよい。また、各ウィンドウに表示する映像は、動画または静止画のいずれでも適用可能である。
【００７５】
レシーバ１０は１チップのＩＣ（集積回路）で構成してもよい。また、スクリーン６に異なる２個の映像を表示する場合に限定されず、３個以上の異なる映像信号を同時に表示する場合でも本実施の形態を同様に適用可能である。
【００７６】
マルチプレクサ４０は、論理ゲート群により入力の切換を行うとしているが、論理ゲート群は、その構成・動作を実行するためのプログラムにより代替されてもよい。
【００７７】
本実施の形態に係る映像表示装置は、液晶プロジェクタに限定されるものではなく、ＬＣＯＳ（Liquid  crystal  on  silicon）またはＤＬＰ（Digital  Light  Processing）（登録商標）を用いたプロジェクタ、またはテレビシステムにも適用可能である。
【００７８】
（実施の形態の効果）
本実施の形態によれば、映像をＮ（Ｎは２以上の整数）個のウィンドウ（投影領域・表示領域に相当）それぞれに同時に投影（表示）する場合に、ウィンドウ毎に投影する候補となる映像信号を入力するためのポート数はＭ（Ｍは２以上の整数）個の同数となり、ウィンドウ毎の入力ポート数の制約がない。また、従来に比べて入力ポート数に対するスイッチおよびレシーバの数を削減することができてＰＪ１自体のコストを低減できる。
【００７９】
また、ＨＤＣＰの認証済み入力ポートを特定する情報をユーザに報知することにより、表示可能な映像信号の切換えを速やかに行うことが可能となる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１  プロジェクタ（ＰＪ）、２Ａ  アナログ信号供給装置、２Ｄ  デジタル信号供給装置、３  デジタル伝送路、４  リモコン、９  入力部、１０  レシーバ部、１１  映像信号処理回路、１３  マイコン、２１，２２  スイッチ、２３，２４  レシーバ、２６  メッセージ、４０  マルチプレクサ、５０  ＯＳＤ回路、２０１，２０２  切換信号、２５１  認証検知信号。
【図１】
2011017860.tif 000003
【図２】
2011017860.tif 000004
【図３】
2011017860.tif 000005
【図４】
2011017860.tif 000006
【図５】
2011017860.tif 000007
【図６】
2011017860.tif 000008
【図７】
2011017860.tif 000009
【図８】
2011017860.tif 000010
【図９】
2011017860.tif 000011